【事件の表示】
　特許第２６４０６３５号「パチンコ機」の特許に対する特許異議の申立てについて、次のとおり決定する。
【結論】
　訂正を認める。
　特許第２６４０６３５号の特許を維持する。
【理由】
Ｉ．手続の経緯
　本件特許第２６４０６３５号の請求項１に係る発明は、平成２年１２月２８日に実用新案登録出願された実願平２−４０５２１９号を、変更出願した特願平６−３３２７９５号を、平成７年３月２日に分割して特願平７−６６６８０号としたものであって、平成９年５月２日に特許の設定登録がなされ、その後、細江裕実より特許異議の申立てがなされ、取消理由通知がなされたところ、その指定期間内に訂正請求がなされ、その訂正請求に対して訂正拒絶理由通知がなされ、その指定期間内である平成１１年６月８日に手続補正書が提出されたものである。
ＩＩ．補正の適否についての判断
（１）補正の内容
　特許権者が求めている補正の内容は、次のとおりである。
（１）全文訂正明細書中の特許請求の範囲
「【請求項１】遊技盤側の制御を行う遊技制御回路及びパチンコ機本体側の制御を行う本体制御回路を備えるパンチンコ機において、パチンコ機本体の背面に配設された中継基板に
本体電源端子、遊技制御回路電源端子及び本体制御回路電源端子を設け、前記本体電源端子
前記本体電源端子
前記遊技制御回路電源端子及び前記本体制御回路電源端子に
前記遊技制御回路電源端子及び前記本体制御回路電源端子
「【請求項１】遊技盤側の制御を行う遊技制御回路及びパチンコ機本体側の制御を行う本体制御回路を備えるパンチンコ機において、パチンコ機本体の背面に配設された中継基板に
本体電源端子、遊技制御回路電源端子及び本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
、前記遊技制御回路はセーフ球の検出信号に基づいて各入賞口に対応する賞球数信号を発生させ、前記本体制御回路は賞球数信号に基づいて所定数の賞球を払い出すようにし
（２）全文訂正明細書中の【０００４】の項
「本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に
本体電源端子、遊技制御回路電源端子および本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
「本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に
本体電源端子、遊技制御回路電源端子及び本体制御回路電源端子を設け、前記本体電源端子に
前記本体電源端子に
前記遊技制御回路電源端子及び前記本体制御回路電源端子に
前記遊技制御回路電源端子及び前記本体制御回路電源端子
、前記遊技制御回路はセーフ球の検出信号に基づいて各入賞口に対応する賞球数信号を発生させ、前記本体制御回路は賞球数信号に基づいて所定数の賞球を払い出すようにし
（３）補正の適否
　補正（１）は、特許請求の範囲の減縮を目的とするものであり、補正（２）は、補正（１）の補正に伴って、それとの整合を図るために発明の詳細な説明を補正したものであり、明りょうでない記載の釈明を目的とするものであり、これらの訂正請求に対する補正（１）、（２）は、訂正請求の要旨を変更するものではなく、特許法第１２０条の４第３項で準用する同法第１３１条第２項の規定に適合するので、当該補正を認める。
ＩＩＩ．訂正の適否についての判断
１．訂正の要旨
▲１▼訂正事項ａ
「【請求項１】遊技盤側の制御を行う遊技制御回路及びパチンコ機本体側の制御を行う本体制御回路を備えるパンチンコ機において、パチンコ機本体の背面に配設された中継基板に外部の電源回路を接続すると共に、接続した前記電源回路の電源を分電して各分電源を遊技制御回路及び本体制御回路に接続したことを特徴とするパチンコ機。」を、
「【請求項１】遊技盤側の制御を行う遊技制御回路及びパチンコ機本体側の制御を行う本体制御回路を備えるパンチンコ機において、パチンコ機本体の背面に配設された中継基板に
本体電源端子、遊技制御回路電源端子及び本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
、前記遊技制御回路はセーフ球の検出信号に基づいて各入賞口に対応する賞球数信号を発生させ、前記本体制御回路は賞球数信号に基づいて所定数の賞球を払い出すようにし
▲２▼訂正事項ｂ
明細書の【０００４】の項、
「【課題を解決するための手段】
　本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に外部の電源回路を接続する共に、接続した前記電源回路の電源を分電して各分電源を遊技制御回路及び本体制御回路に接続した。」を、
「【課題を解決するための手段】
　本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に
本体電源端子、遊技制御回路電源端子及び本体制御回路電源端子を設け、前記本体電源端子に
前記本体電源端子に
前記遊技制御回路電源端子及び前記本体制御回路電源端子に
前記遊技制御回路電源端子及び前記本体制御回路電源端子
、前記遊技制御回路はセーフ球の検出信号に基づいて各入賞口に対応する賞球数信号を発生させ、前記本体制御回路は賞球数信号に基づいて所定数の賞球を払い出すようにし
２．訂正の目的の適否、新規事項の有無および拡張・変更
▲１▼訂正事項ａについて
　願書に添付した明細書の段落番号【００２９】には、「更に、この中継基板８５には、パチンコ島に設置してある電源装置（図示せず）と接続する本体電源端子８７を設けると共に、前記本体電源端子８７から分電され、該遊技制御回路（ボックス）９′に電源を供給する遊技制御回路電源端子９４及び前記本体制御回路（ボックス）９に電源を供給する本体制御回路電源端子９５が配設されている。これにより、前記遊技盤２ａとパチンコ機本体との電気的接続は、全て前記中継基板８５を介しておこなわれる。」と記載され、さらに、段落番号【００１１】には、「この本体制御回路（ボックス）９は前記遊技制御回路（ボックス）９′と信号線によって接続され、前記入賞球検出装置がセーフ球を
検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックス）９′は各入賞口に対応した賞球数を表す賞球信号を発生させ、該賞球信号の発生に基づいて前記賞球制御装置が所定数の賞球を払い出すようにしたものである。」と記載されていることから、上記訂正事項ａによる訂正は、願書に添付した明細書または図面に記載された事項の範囲内の訂正であり、実質上特許請求の範囲を拡張または変更するものではなく、特許請求の範囲の減縮を目的とするものである。
▲２▼訂正事項ｂについて
　訂正事項ｂによる訂正は、訂正事項ａにより生じたものであり、訂正事項ａとの整合を図るためのものである。また、訂正事項ｂによる訂正は、願書に添付した明細書または図面に記載された事項の範囲内の訂正であり、明りょうでない記載の釈明を目的とするものである。
３．独立特許要件
（１）訂正後の請求項１に係る発明は、訂正後の特許請求の範囲の請求項１に記載された事項により特定される次のとおりのものと認める。
「【請求項１】遊技盤側の制御を行う遊技制御回路及びパチンコ機本体側の制御を行う本体制御回路を備えるパチンコ機において、パチンコ機本体の背面に配設された中継基板に本体電源端子、遊技制御回路電源端子及び本体制御回路電源端子を設け、前記本体電源端子に外部の電源回路を接続すると共に、前記本体電源端子に接続した前記電源回路の電源を前記遊技制御回路電源端子及び前記本体制御回路電源端子に分電して前記遊技制御回路電源端子及び前記本体制御回路電源端子を遊技制御回路及び本体制御回路に接続し、前記遊技制御回路はセーフ球の検出信号に基づいて各入賞口に対応する賞球数信号を発生させ、前記本体制御回路は賞球数信号に基づいて所定数の賞球を払い出すようにしたことを特徴とするパチンコ機。（以下、「本件発明」という。）
（２）引用刊行物
　当審が訂正拒絶理由で引用した刊行物１（特開平２−２８０７８５号公報）には、「遊技盤保持枠に着脱自在に取付けられた遊技盤と、主として該遊技盤上に設けられた電気的遊技装置と、前記遊技盤の裏側に配置された機構板に設けられ、且つ電気的駆動源の作動によって払出される景品玉を異ならせことが可能な景品玉払出装置と、前記電気的遊技装置を駆動制御する遊技装置制御回路と、前記景品玉払出装置を駆動制御する払出装置制御回路と、を備えた弾球遊技機において、前記遊技装置制御回路と前記払出装置制御回路とを弾球遊技機に対して着脱可能に設けられる１つの回路基板収納ケースに収納し、該回路基板収納ケース内に収納された各制御回路と前記電気的遊技装置及び景品玉払出装置とを電気的に接続・切り放し可能な接続部材で接続したことを特徴とする弾球遊技機。」（特許請求の範囲）に係る発明が記載されており、さらに、各回路への電源供給に関して、「なお、上記構成の各回路には、電源回路１８９から所定の直流電圧が供給されるが、この電源回路１８９には、第７図に示すようにノイズを減少させるためにチョークコイル１９０が設けられている。」（１２頁右下欄１６〜２０行）と記載されている。
　これらの記載から、上記刊行物１には次の発明（以下「刊行物１に記載された発明」という。）が記載されていると認められる。
「遊技盤側の制御を行う遊技制御回路、パチンコ機本体側の制御を行う本体制御回路を備え、電源回路の電源を前記遊技制御回路電源端子及び前記本体制御回路電源端子に接続したパチンコ機。」
　同じく引用した刊行物２（特開昭６４−５５８０号公報）には、「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記各制御回路間を中継線及びコネクタを介して電気的に連絡したことを特徴とするパチンコ機。」（特許請求の範囲）が記載され、「差込みプラグ３６をＡＣ２４Ｖ電源に差込むと、ＡＣ２４Ｖの電圧がヒューズ３５を介して第１端子板２５ＡのコネクタＡ１に入り、コネクタＡ１より一方が第１端子板２５ＡのコネクタＡ２を経て電役基板２３のコネクタＢ１に入り、コネクタＡ１より他方が第１端子板２５ＡのコネクタＡ９より防犯基板２６のコネクタＤ１に入って防犯基板２６の電源となり、防犯基板２６のコネクタＤ１に至る途中でコネクタＥ１を経て球切りモーターＭ１を作動して２４Ｖ電源の入力が行なわれる。」（公報第５頁左上欄１５行〜同頁右上欄５行を参照。）が記載されている。
（対比・判断）
　本件発明（前者）と、刊行物１に記載された発明（後者）とを対比すると、両者は、「遊技盤側の制御を行う遊技制御回路およびパチンコ機本体側の制御を行う本体制御回路を備えるパチンコ機において、電源回路の電源を前記遊技制御回路電源端子及び前記本体制御回路電源端子に接続したパチンコ機。」の点で一致しているが、
　前者は、「パチンコ機本体の背面に配設された中継基板に本体電源端子、遊技制御回路電源端子及び本体制御回路電源端子を設け、前記本体電源端子に外部の電源回路を接続すると共に、前記本体電源端子に接続した前記電源回路の電源を前記遊技回路電源端子及び前記本体制御回路電源端子に分電して前記遊技制御回路電源端子及び前記本体制御回路電源端子を遊技制御回路及び本体制御回路に接続し、前記遊技制御回路はセーフ球の検出信号に基づいて各入賞口に対応する賞球数信号を発生させ、前記本体制御回路は賞球数信号に基づいて所定数の賞球を払い出すようにしたことを特徴とするパチンコ機。」の構成を備えているのに対し、後者は、そのような構成を備えていない点で両者は相違する。
　前記相違点を検討するため、本件発明と刊行物２に記載された発明とを照合対置すると、刊行物２には、「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記各制御回路間を中継線及びコネクタを介して電気的に連絡したことを特徴とするパチンコ機。」を構成とする発明が記載されているが、
　刊行物２には、本件発明の構成の内の「前記遊技制御回路はセーフ球の検出信号に基づいて各入賞口に対応する賞球数信号を発生させ、前記本体制御回路は賞球数信号に基づいて所定数の賞球を払い出すようにし、パチンコ機本体の背面に配設された中継基板に本体電源端子、遊技制御回路電源端子及び本体制御制御回路電源端子を設け、前記本体電源端子に外部の電源回路を接続すると共に、前記本体電源端子に接続した前記電源回路の電源を前記遊技制御回路電源端子及び前記本体制御回路電源端子に分電して前記遊技制御回路電源端子及び前記本体制御回路電源端子を遊技制御回路及び本体制御回路に接続したことを特徴とするパチンコ機。」の構成（以下、「特定事項」という。）が記載されていない。
　したがって、刊行物１に記載された発明と、刊行物２に記載された発明とを寄せ集めたとしても、当業者は本件発明を容易に想到することはできないものと認める。
　また、本件発明は、訂正後の請求項１に記載された構成を具備することにより、明細書に記載されたとおりの格別顕著な効果を奏するものである。
　よって、本件発明は、刊行物１および刊行物２にそれぞれ記載された発明に基づいて、当業者が容易に発明をすることができたものとは認められない。
　したがって、本件発明は特許出願の際独立して特許を受けることができるものである。
４．むすび
　以上のとおりであるから、上記訂正は、特許法第１２０条の４第２項及び第３項で準用する同法第１２６条第２項乃至第４項の規定に適合するので、当該訂正を認める。
ＩＶ．特許異議申立てついて
　特許異議申立人細江裕美は、甲第１号証（実願昭５５−１１８５２７号（実開昭５７−４２８７５号公報）の全文明細書及び図面））、甲第２号証（特開昭６３−１６８１９４号公報）および甲第３号証（実願昭６１−２００８２８号（実開昭６３−１０３６７５号公報）の全文明細書及び図面））を提出して、以下のとおり主張している。
　本件特許発明は、甲第１号証に開示されており特許法第２９条第１項第３号に該当し、また、甲第１号証及び甲第２号証（或いは甲第３号証）に記載された発明に基づいて、当業者が容易に発明をすることができたものであるから、特許法第２９条第２項の規定に該当し、これらにより特許を受けることができないものであり、特許法第１１３条第１項第２号の規定により取り消すべきものである旨主張している。
（１）各甲号証について
　甲第１号証には、「コイン式パチンコ機本体の機能に係る配線系統と遊技内容に係る配線系統とを分離して夫々中継基板に集約し、この中継基板と制御装置とを接続したことを特徴とするコイン式パチンコ機の配線処理構造。」（実用新案登録請求の範囲）の発明が記載されている。
　甲第２号証には、「パチンコ機には少なくとも入賞球があったことを検出する入賞球検出器と、賞球排出装置の上タンク内の予備球の残量を検出する完了検出器と、特別遊技態様が発生したことを検出する特別遊技態様検出部とを設け、パチンコ機裏側上部一側には、上記検出手段からの信号をパチンコ機外部へ出力するための出力端子が集約的に設けられてなる入出力装置を設け、上記入賞球検出器、完了検出器、特別遊技態様検出器からの信号線の一端を上記入出力装置へ集合させて接続したことを特徴とするパチンコ機の入出力装置。」（特許請求の範囲の請求項１）の発明が記載されている。
　甲第３号証には、「第３図は各電気的機素と２４Ｖ電源との配線を図式的に表わした配線概略図であり、第４図はターミナル部材部分を中心とした配線構造を示した配線図である。図において、通常多数のパチンコ遊技機１を列設している島内にはパチンコ遊技場に配電されている１００Ｖ用電源を・・・各パチンコ機に供給している。」（公報第９頁７行〜１４行を参照。）が記載されている。
（対比・判断）
　本件発明と甲各号証にそれぞれ記載された発明とを対比すると、各甲号証には、上記ＩＩＩ．３．（２）の「対比・判断」で示した本件発明の構成である「特定事項」が記載されていない。
　本件発明は、上記特定事項を含む請求項１に記載された構成により、明細書に記載されたとおりの格別顕著な効果を奏するもである。
　したがって、本件発明は、甲第１号証に記載された発明と同一であるとも、または、甲第１号証および甲第２号証または甲第３号証に記載された発明に基づき、当業者が容易に発明をすることができたものでもなく、特許異議申立人の主張は理由がない。
Ｖ．むすび
　以上のとおりであるから、特許異議申立ての理由および証拠方法によっては、本件発明を取り消すことはできない。
　また、他に本件発明の特許を取り消すべき理由を発見しない。
　よって、結論のとおり決定する。
【異議決定日】
平成１１年１０月２１日（１９９９．１０．２１）
【訂正の要旨】
１．訂正の要旨
▲１▼訂正事項ａ
「【請求項１】遊技盤側の制御を行う遊技制御回路及びパチンコ機本体側の制御を行う本体制御回路を備えるパンチンコ機において、パチンコ機本体の背面に配設された中継基板に外部の電源回路を接続すると共に、接続した前記電源回路の電源を分電して各分電源を遊技制御回路及び本体制御回路に接続したことを特徴とするパチンコ機。」を、
「【請求項１】遊技盤側の制御を行う遊技制御回路及びパチンコ機本体側の制御を行う本体制御回路を備えるパンチンコ機において、パチンコ機本体の背面に配設された中継基板に
本体電源端子、遊技制御回路電源端子及び本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
し、前記遊技制御回路はセーフ球の検出信号に基づいて各入賞口に対応する賞球数信号を発生させ、前記本体制御回路は賞球数信号に基づいて所定数の賞球を払い出すようにし
▲２▼訂正事項ｂ
明細書の【０００４】の項、
「【課題を解決するための手段】
　本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に外部の電源回路を接続する共に、接続した前記電源回路の電源を分電して各分電源を遊技制御回路及び本体制御回路に接続した。」を、
「【課題を解決するための手段】
　本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に
本体電源端子、遊技制御回路電源端子及び本体制御回路電源端子を設け、前記本体電源端子に
前記本体電源端子に
前記遊技制御回路電源端子及び前記本体制御回路電源端子に
前記遊技制御回路電源端子及び前記本体制御回路電源端子
、前記遊技制御回路はセーフ球の検出信号に基づいて各入賞口に対応する賞球数信号を発生させ、前記本体制御回路は賞球数信号に基づいて所定数の賞球を払い出すようにし
（５４）【発明の名称】
パチンコ機
（５７）【特許請求の範囲】
　【請求項１】遊技盤側の制御を行う遊技制御回路及びパチンコ機本体側の制御を行う本体制御回路を備えるパチンコ機において、
　パチンコ機本体の背面に配設された中継基板に
本体電源端子、遊技制御回路電源端子及び本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
【発明の詳細な説明】
　　　【０００１】
　　【産業上の利用分野】
　本発明は、遊技盤側の制御を行う遊技制御回路及びパチンコ機本体側の制御を行う本体制御回路を備えるパチンコ機に関する。
　　　【０００２】
　　【従来の技術】
　パチンコ機は、近年、新しい技術が導入され、電子化が進むと共に、特に管理コンピュータを用いて複数のパチンコ機を一括管理するようになってから、構造が更に複雑になり、遊技盤の背面に設けられた遊技制御手段関連、パチンコ機本体に設けられたパチンコ機本体制御手段関連、及び電源系からの配線が増加し、複雑化する傾向にあった。
　　　【０００３】
　　【発明が解決しようとする課題】
　それ故に、例えば、遊技盤をパチンコ機本体に取り付ける際や、パチンコ島に設置してある電源回路とパチンコ機とを接続する際に、各種配線を正確に接続することが煩雑になり、製造や設置及び保守点検に手間がかかり、これが製品のコストや人件費の上昇につながっていた。
　　　【０００４】
　　【課題を解決するための手段】
　本発明は、かかる問題点を解決するものであり、遊技盤側の制御を行う遊技制御回路及びパチンコ機本体側の制御を行う本体制御回路を備えるパチンコ機において、パチンコ機本体の背面に配設された中継基板に
本体電源端子、遊技制御回路電源端子及び本体制御回路電源端子を設け、前記本体電源端子
前記本体電源端子に
前記遊技制御回路電源端子及び前記本体制御回路電源端子に
前記遊技制御回路電源端子及び前記本体制御回路電源端子
　　　【０００５】
　　　【０００６】
　　　【０００７】
　　【作用】
　遊技盤とパチンコ機本体との電源回路の接続を、パチンコ機本体の背面に配設された中継基板を介しておこなうので、パチンコ機の製造工程が簡略化される。
　　　【０００８】
　　【実施例】
　以下本発明を図面の実施例について説明する。
　　　【０００９】
　図１はパチンコ機１の概略背面図、図２は図１の部分拡大図、図３は図２の平面図、図４は図２の側面図、図５は図４の断面図、図６は図２の詳細図、図７は図２のＡ−Ａ線断面図、図８は図２の部分背面図であって、外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。
　　　【００１０】
　また、前記リヤプレート３には蝶番５を介して可動枠体６を開閉可能に蝶着する。この可動枠体６は分離可能な上枠体部分６ａと下枠体部分６ｂとからなり、上枠体部分６ａには賞球制御装置を設けると共に賞球誘導路や賞球放出路等を設ける。尚、遊技盤２ａの裏面には入賞装置等、主に遊技盤側の制御を行う遊技制御回路（ボックス）９′が遊技盤２ａに対して着脱自在に装着されている。一方、下枠体部分６ｂにはセーフ球通路やセーフ球検出装置等を設ける。また、前記可動枠体６には遊技盤２ａの後方に臨む球寄せカバー７を設ける。そして、この球寄せカバー７の下方位置のリヤプレート３には固定枠体８を設けて発射制御装置、入賞制御装置、賞球制御装置等の処理を行う本体制御回路（ボックス）９を設ける。
　　　【００１１】
　この本体制御回路（ボックス）９は前記遊技制御回路（ボックス）９′と信号線によって接続され、前記入賞球検出装置がセーフ球を検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックス）９′は各入賞口に対応した賞球数を表す賞球数信号を発生させ、該賞球数信号の発生に基づいて前記賞球制御装置が所定数の賞球を払い出すようにしたものである。更に、前記固定枠体８の下方に打球発射装置の駆動部１０や上皿から溢れた球を下皿に誘導する下皿誘導樋１１等を設ける。
　　　【００１２】
　前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。
　　　【００１３】
　前記ベース本体４は、主に上タンク１２をリヤプレート３に止着するための部材であって、リヤプレート３側に空部を有するほゞ皿状をなし、前記リヤプレート３の上方の所定位置に位置決めボス１４ａ及び１４ｂによって位置決めされた上、止着ビス１５等で適宜固定する。尚、このベース本体４には係合溝が設けてあり、後述する上タンク１２の係合片が係合するようになっている。
　　　【００１４】
　更に、このベース本体４には、前記した可動枠体６を止着するロック部材１８や、後述する賞球誘導樋１３から球が流出するのを防ぐストッパー部材等を設ける。
　　　【００１５】
　また、前記ベース本体４の一隅には、後述する球検出装置１９を着脱可能に止着する検出装置嵌入部２０を設ける。また、この検出装置嵌入部２０の下方には電気的コネクタ手段２１を固定すると共に配線ケーブルを押え込む止着部材２２を設け、この止着部材２２の傍には本体制御回路（ボックス）９の配線ケーブルを逃すための凹陥部２３を形成する。
　　　【００１６】
　前記上タンク１２は、リヤプレート３にベース本体４を介して止着される上面及び背面側が開放する箱状であって、前記したベース本体４の凹溝に当該上タンク１２の開放周縁を嵌合して止着ビス１５ａ等でベース本体４に適宜固定する。前記上タンク１２の底部１２ａの一隅には縦横共に複数列の球が同時に通過できるほゞ矩形の連通孔２４として、例えばＨ１＝４０ｍｍ、Ｈ２＝８５ｍｍを開設し（球径＝１１ｍｍ）、この連通孔２４に向けて緩い傾斜Ａ、Ｂ、Ｃを設けると共に、階段状のリブＤを複数設けて、開口部付近において球が互いに押圧し合って詰まってしまう所謂ブリッジ現象或は俵積み現象を起こさないように適宜工夫した形状としてある。
　　　【００１７】
　前記のような上タンク１２の一隅には球検出装置１９を臨ませる。この球検出装置１９は、ケース７０内にユニット化されており、いつでも着脱が容易である。
　　　【００１８】
　即ち、前記ケース７０は、例えば一面が開口する浅い箱枠状であってプラスチック材からなり、底板部７１及び一方側の側板部７２に切欠口７３及び切欠部７４が夫々設けてある。このケース７０内には配線基板７５を収設し、該配線基板７５には必要な配線をプリント配線すると共に、検出スイッチのソケット７６を設ける。また、この配線基板７５には発光源として例えば発光ダイオード７７を植設し、この発光ダイオード７７の光が遊技盤２ａの前面側に届くようにする。
　　　【００１９】
　前記配線基板７５にはコネクタ手段２１の一方を構成する例えば雄型の端子部２１ａをケース７０の底板部７１に開設した切欠口７３に臨むように設ける。この雄型の端子部２１ａに対応してコネクタ手段２１の他方を構成する雌型の端子部２１ｂはベース本体４に設けてあり、前記ケース７０を着脱することにより雄型の端子部２１ａと雌型の端子部２１ｂとが電気的に継脱される。また、前記連通孔２４側の側壁部を連通孔２４の幅で側方に膨出させて凸室２５を設け、該凸室２５に、上方を上タンク１２側のボス３４ａにインサート成型した揺動支軸２６により揺動自在とした揺動部材である検出レバー２７を収納する。前記ソケット７６には、検出スイッチとして例えばマイクロスイッチ３１を着脱自在に嵌着し、該マイクロスイッチ３１から揺動自在に延出するアクチュエータ３２の端部を前記ケース７０の側板部７２に開設した切欠部７４から若干突出するようになす。そして、前記ケース７０をパチンコ機１の本体側であるベース本体４に止着した状態のときに、前記検出レバー２７の作動部３３に臨むようにする。これにより、前記検出レバー２７は、上タンク１２に充填した球の押圧を受け、揺動支軸２６を支点として揺動し、作動部３３をアクチュエータ３２側に突出させる。
　　　【００２０】
　更に、前記ケース７０には、当該ケース７０をベース本体４に止着するための係合突起７８を設けると共に操作片７９を設ける。この係合突起７８及び操作片７９は、ケース７０の上板部８０から背板部８１にかけて切り込んだ２本の平行する切込溝８２，８２によって形成してあり、前記係合突起７８をベース本体４の仕切板部８３に開設した係合口８４に弾着することにより、ケース７０をベース本体４に止着することができ、ケース７０を外すときには、操作片７９を係合突起７８が係合口８４から外れるように押し曲げながら引き抜けばよい。このとき、コネクタ手段２１の一方の端子部２１ｂがベース本体４に固定されているので、コネクタ手段２１の両端子部２１ａ，２１ｂの接続も外れる。尚、図示の実施例ではベース本体４に設けた検出装置嵌入部２０の側部がケース７０の側板部７２に摺接すると共に、ベース本体４の仕切板部８３にケース７０の背板部８１が摺接して側部及び仕切板部８３がケース７０のガイドになっている。
　　　【００２１】
　そして、前記した配線基板７５に植設した発光ダイオード７７は、例えば完了表示灯として利用する。このため図示の実施例では発光ダイオード７７を３個並設して光量を増大させている。尚、図示していないが、ベース本体４や機構枠体及び遊技盤２ａには前記発光ダイオード７７の光が遊技盤２ａの遊技レール（図示せず）で囲まれた遊技部外の左右上方の前面に届くように透光部が設けてある。
　　　【００２２】
　前記検出装置嵌入部２０と反対側の端部付近には、前記本体制御回路（ボックス）９からの配線ケーブル及び不正防止としてパチンコ機本体に設けた磁気検出手段、金枠開放検出手段等の配線ケーブルを管理コンピュータ（図示せず）に中継する中継基板取付部１６が形成されると共に、この中継基板取付部１６には、中継基板８５が止着されている。
　　　【００２３】
　この中継基板８５には発光ダイオード８６を設けて、前記した完了表示灯と同様に光を遊技盤２ａの前面に導いて賞球表示灯とする。
　　　【００２４】
　また、本体制御回路（ボックス）９と接続する本体端子９１、遊技制御回路（ボックス）９′と本体制御回路（ボックス）９と交信するための接続端子９２、パチンコ機本体に設けてあるスピーカと接続するスピーカ端子９３が設置されている。
　　　【００２５】
　更に、中継基板８５には、不正防止としてパチンコ機本体に設置される磁気検出回路及び金枠開放検出回路と接続する磁気不正防止回路端子８８及び金枠開放検出回路端子８９、入賞球数信号、アウト球数信号、補給信号、打球発射停止信号等を制御する本体制御回路（ボックス）９及び前記端子８８、８９等を一括して管理コンピュータに接続するためのデータ出力端子９０が設置されている。
　　　【００２６】
　一方、遊技盤２ａの背面に装着された遊技制御回路（ボックス）９′から管理コンピュータに出力される各種の情報データ、例えば大当りの回数データ、始動回数データ、大当り時の継続回数データ等を出力するデータ出力端子９′ａを取着した中継基板９′ｂが臨む開口窓１７を隣接して開設する。
　　　【００２７】
　この際、中継基板９′ｂは、遊技制御回路（ボックス）９′と同様、遊技盤２ａの背面に装着されており、開口窓１７を通して、データ出力端子９′ａは管理コンピュータと接続するように配置されている。
　　　【００２８】
　このようにして、遊技盤２ａ側のデータ及びパチンコ機本体側のデータは容易に管理コンピュータに伝送することが可能になる。
　　　【００２９】
　更に、この中継基板８５には、パチンコ島に設置してある電源装置（図示せず）と接続する本体電源端子８７を設けると共に、該本体電源端子８７から分電され、前記遊技制御回路（ボックス）９′に電源を供給する遊技制御回路電源端子９４及び前記本体制御回路（ボックス）９に電源を供給する本体制御回路電源端子９５が配設されている。これにより、前記遊技盤２ａとパチンコ機本体との電気的接続は、全て前記中継基板８５を介しておこなわれる。
　即ち、本発明では、本体制御回路（ボックス）９と遊技制御回路（ボックス）９′とに対して系統別に電源を供する。このため、配線処理が合理的且つ簡単確実になって誤配線の恐れが無くなる。しかも、電気部品数の増加や複雑化に伴う配線本数や必要電源容量の増加にも対応することができる。また、配線コードを系統別に配設するので、見た目がすっきりすると共に、他の部材の邪魔になったり、遊技盤の裏面側を流下する入賞球を阻害しない。更に、誤配線や接触不良等に起因するトラブルの発生もない。
　　　【００３０】
　前記中継基板８５上において、前記本体電源端子８７と、前記遊技制御回路電源端子９４及び前記本体制御回路電源端子９５の間には、夫々、過電流防止用ヒューズ９８，９９が設けられており、これにより、前記遊技制御回路（ボックス）９′か、あるいは前記本体制御回路（ボックス）９に、何らかの理由で異常電流が流れた場合に、前記ヒューズ９８またはヒューズ９９が融断することにより、前記遊技制御回路（ボックス）９′並びに前記本体制御回路（ボックス）９を保護すると共に、前記ヒューズ９８，９９の交換を前記中継基板８５上でおこなうことができ、効率よく作業が実施できる。
　　　【００３１】
　かつ、前記中継基板８５上に、前記各々のヒューズの切れたことを、例えば前記各々のヒューズ９８、９９に夫々電気的に並列に接続され、抵抗器及びＬＥＤ（発光ダイオード）から成り、ヒューズが切れた際に点灯表示するヒューズ切れ表示灯９６、９６′が配置されているので、保守管理が容易におこなえる。
　　　【００３２】
　更に、前記中継基板８５上に、前記ヒューズ９８と電気的に直列に接続した前記遊技制御回路（ボックス）９′用のオンオフ切換のメインスイッチ（トグルスイッチ）１０１が配設されている。これにより、前記遊技制御回路（ボックス）９′のオンオフは、前記中継基板８５上でおこなえるようになる。
　　　【００３３】
　なお、前記中継基板８５上に、前記ヒューズ９９と電気的に直列に接続した前記本体遊技制御回路（ボックス）９用のオンオフ切換のメインスイッチを設けてもよく、この二つのメインスイッチは連動型のスイッチでもよい。
　　　【００３４】
　また、前記中継基板８５上に、前記本体電源端子８７（ＡＣ２４Ｖ）に誤って、例えば、ＡＣ１００Ｖの電源コネクタを繋いでも前記遊技制御回路（ボックス）９′及び前記本体制御回路（ボックス）９が破壊されないように遊技制御回路（ボックス）９′及び本体制御回路（ボックス）９への分電を制限する過電圧防止回路１００を配設し、異常電圧が入力されると異常検出表示灯９７が点灯するように構成する。
　　　【００３５】
　以上、本発明を図面の実施例について説明したが、本発明は上記した実施例に限定されるものではなく、特許請求の範囲に記載した構成を変更しない限り適宜に実施できる。
　　　【００３６】
　　【発明の効果】
　以上のように、本発明によれば、本体制御回路と遊技制御回路とに対して系統別に電源を供することが可能になるため、配線処理が合理的且つ簡単確実になって誤配線の恐れが無くなり、しかも、電気部品数の増加や複雑化に伴う配線本数や必要電源容量の増加にも対応することができる。また、配線コードを系統別に配設するので、見た目がすっきりすると共に、他の部材の邪魔になったり、遊技盤の裏面側を流下する入賞球を阻害することがない。更に、誤配線や接触不良等に起因するトラブルの発生もない。従って、パチンコ機における電源系の配線が簡略化されると共に、パチンコ機の製造工程が簡略化され、また、設置や保守管理も容易になるという効果を有する。
【図面の簡単な説明】
　　【図１】
　パチンコ機の概略背面図である。
　　【図２】
　図１の部分拡大図である。
　　【図３】
　図２の平面図である。
　　【図４】
　図２の側面図である。
　　【図５】
　図４の断面図である。
　　【図６】
　図２の詳細図である。
　　【図７】
　図２のＡ−Ａ線断面図である。
　　【図８】
　図２の部分背面図である。
　　【符号の説明】
　　　１　　　　　　パチンコ機
　　　２ａ　　　　　遊技盤
　　　８５　　　　　中継基板
　　　８７　　　　　本体電源端子
　　　９４　　　　　遊技制御回路電源端子
　　　９５　　　　　本体制御回路電源端子
　　　９６、９６′　ヒューズ切れ表示灯
　　　９７　　　　　異常検出表示灯
　　　９８、９９　　ヒューズ
　　　１０１　　　　メインスイッチ